(57)【要約】【課題】ベルトコンベアーを用いて被洗浄物の連続的な効率の良い減圧蒸気洗浄作業または被洗浄物の減圧乾燥作業を可能とする。【解決手段】ベルトコンベアー１の上面に載置した被洗浄物１１を上面から被覆して密閉する上部被覆体１２を形成する。ベルトコンベアー１の下面に配置するとともにベルトコンベアー１に貫通形成した流通孔２６を介して上部被覆体１２と連通し、この上部被覆体１２と共に被洗浄物１１を気密的に密閉可能とする下部被覆体１０を形成する。上部被覆体１２または下部被覆体１０に溶剤回収機能を備えた減圧機構１３と、上部被覆体１２内に洗浄蒸気を供給する蒸気供給機構１６を接続する。そして、上部被覆体１２内に密閉収納した被洗浄物１１の減圧蒸気洗浄を可能とすると共に上部被覆体１２を、被洗浄物１１の出入が可能となるよう、ベルトコンベアー１の上面に対して上下動可能とする。【選択図】図１
2006292261.tif 000002
【特許請求の範囲】
【請求項１】
ベルトコンベアーの上面に載置した被洗浄物を上面から被覆して密閉する上部被覆体と、この上部被覆体に対応してベルトコンベアーの下面に配置するとともにベルトコンベアーに貫通形成した流通孔を介して上部被覆体と連通し、この上部被覆体と共に被洗浄物を気密的に密閉可能とする下部被覆体と、上部被覆体または下部被覆体に接続し溶剤回収機能を備えた減圧機構とから成り、上部被覆体内に密閉収納した被洗浄物の減圧乾燥を可能とすると共に、上部被覆体を被洗浄物の出入が可能となるよう、ベルトコンベアーの上面に対して上下動可能としたことを特徴とする被洗浄物の乾燥装置。
【請求項２】
ベルトコンベアーの上面に載置した被洗浄物を上面から被覆して密閉する上部被覆体と、この上部被覆体に対応してベルトコンベアーの下面に配置するとともにベルトコンベアーに貫通形成した流通孔を介して上部被覆体と連通し、この上部被覆体と共に被洗浄物を気密的に密閉可能とする下部被覆体と、上部被覆体または下部被覆体に接続し溶剤回収機能を備えた減圧機構と、上部被覆体内に洗浄蒸気を供給する蒸気供給機構から成り、上部被覆体内に密閉収納した被洗浄物の減圧蒸気洗浄を可能とすると共に上部被覆体を、被洗浄物の出入が可能となるよう、ベルトコンベアーの上面に対して上下動可能としたことを特徴とする被洗浄物の蒸気洗浄装置。
【請求項３】
洗浄蒸気の蒸気供給機構は、ベルトコンベアーの下面側に臨ませて蒸気発生槽を配置し、この蒸気発生槽から発生させた洗浄蒸気を、ベルトコンベアーに設けた洗浄蒸気の流通孔を介して上部被覆体内に供給することを特徴とする請求項２の被洗浄物の蒸気洗浄装置。
【請求項４】
下部被覆体は、蒸気発生槽の上端開口を上部被覆体に対応してベルトコンベアーの下面に密着する事により形成したことを特徴とする請求項２の被洗浄物の蒸気洗浄装置。
【請求項５】
ベルトコンベアーには、上部被覆体での作業工程の前工程として被洗浄物の液洗浄機構を配置したことを特徴とする請求項１の被洗浄物の乾燥装置。
【請求項６】
ベルトコンベアーには、上部被覆体での作業工程の前工程として被洗浄物の液洗浄機構を配置したことを特徴とする請求項２の被洗浄物の蒸気洗浄装置。
【発明の詳細な説明】
【技術分野】
【０００１】
本発明は、機械部品、電子部品、食品等の被洗浄物を洗浄完了後に乾燥するための被洗浄物の乾燥装置及び上記の被洗浄物を蒸気洗浄するための被洗浄物の蒸気洗浄装置に係るもので、ベルトコンベアーを用いて効率的で迅速な乾燥または蒸気洗浄作業を可能にするものである。
【背景技術】
【０００２】
従来、被洗浄物の乾燥や蒸気洗浄を行うには特許文献１に示す如く、固定的に配置した蒸気洗浄槽や乾燥槽内に被洗浄物を配置して、洗浄作業や乾燥作業を行うことが一般的であった。また、特許文献２〜５に示す如くベルトコンベアーを用いて連続的な洗浄作業を効率よく行おうとするものも存在する。
【特許文献１】特許第３０１１７０６号公報
【特許文献２】特開２００４−８９９０号公報
【特許文献３】特開２００１−２４６３３２号公報
【特許文献４】特開２０００−７８９６２号公報
【特許文献５】特開２０００−３２３０２９号公報
【発明の開示】
【発明が解決しようとする課題】
【０００３】
しかしながら、特許文献１に示す如く、固定的に配置した洗浄槽や蒸気乾燥槽内に被洗浄物を配置して蒸気洗浄作業や乾燥作業を行う場合は、被洗浄物の液洗浄、蒸気洗浄、乾燥等を行う場合に複数の槽を移動させる必要があったり、１つの槽で液洗浄、蒸気洗浄、乾燥等を行う事ができるものであっても、作業の切替に多くの手数と時間を要するものであった。そのため蒸気洗浄作業や乾燥作業を迅速に行う事が出来ず、洗浄や乾燥の効率を悪いものとしていた。
【０００４】
また、特許文献２〜５に示す如く、ベルトコンベアーを用いて連続的な洗浄作業を行うものも存在したが、これらの従来技術は、被洗浄物に洗浄液を吹き付けて洗浄を行う事と、洗浄液を吹き付けて洗浄を行った被洗浄物を、熱風や赤外線を用いて乾燥をおこなうことが行われていた。しかし、ベルトコンベアーを用いて減圧蒸気洗浄を行ったり減圧乾燥を行う事は出来ないものであった。
【０００５】
本発明は、上述の如き課題を解決しようとするものであって、ベルトコンベアーを用いて連続的な効率の良い減圧蒸気洗浄作業または被洗浄物の減圧乾燥作業を可能にしようとするものである。
【課題を解決するための手段】
【０００６】
本発明は、上述の如き課題を解決するため、第１の発明は被洗浄物の乾燥装置に係るもので、ベルトコンベアーの上面に載置した被洗浄物を上面から被覆して密閉する上部被覆体と、この上部被覆体に対応してベルトコンベアーの下面に配置するとともにベルトコンベアーに貫通形成した流通孔を介して上部被覆体と連通し、この上部被覆体と共に被洗浄物を気密的に密閉可能とする下部被覆体と、上部被覆体または下部被覆体に接続し溶剤回収機能を備えた減圧機構とから成り、上部被覆体内に密閉収納した被洗浄物の減圧乾燥を可能とすると共に、上部被覆体を被洗浄物の出入が可能となるよう、ベルトコンベアーの上面に対して上下動可能として成るものである。
【０００７】
また、第２の発明は被洗浄物の蒸気洗浄装置に係るもので、ベルトコンベアーの上面に載置した被洗浄物を上面から被覆して密閉する上部被覆体と、この上部被覆体に対応してベルトコンベアーの下面に配置するとともにベルトコンベアーに貫通形成した流通孔を介して上部被覆体と連通し、この上部被覆体と共に被洗浄物を気密的に密閉可能とする下部被覆体と、上部被覆体または下部被覆体に接続し溶剤回収機能を備えた減圧機構と、上部被覆体内に洗浄蒸気を供給する蒸気供給機構から成り、上部被覆体内に密閉収納した被洗浄物の減圧蒸気洗浄を可能とすると共に上部被覆体を、被洗浄物の出入が可能となるよう、ベルトコンベアーの上面に対して上下動可能として成るものである。
【０００８】
また、洗浄蒸気の蒸気供給機構は、ベルトコンベアーの下面側に臨ませて蒸気発生槽を配置し、この蒸気発生槽から発生させた洗浄蒸気を、ベルトコンベアーに設けた洗浄蒸気の流通孔を介して上部被覆体内に供給するものであっても良い。
【０００９】
また、下部被覆体は、蒸気発生槽の上端開口を上部被覆体に対応してベルトコンベアーの下面に密着する事により形成したものであっても良い。
【００１０】
また、ベルトコンベアーには、上部被覆体での作業工程の前工程として被洗浄物の液洗浄機構を配置したものであっても良い。
【発明の効果】
【００１１】
本発明は、上述の如く構成したため、被洗浄物の乾燥を行う場合には前工程で洗浄処理した被洗浄物をベルトコンベアーの上面に載置し、上昇させた上部被覆体の下面位置にベルトコンベアーで被洗浄物を移動した後、上部被覆体を下降すれば、被洗浄物は上部被覆体によって密閉されるとともにベルトコンベアーの下面対応位置は、下部被覆体で密閉されるから、減圧機構を作動して被洗浄物の減圧乾燥が可能となる。この減圧は、上部被覆体と下部被覆体とがベルトコンベアーの流通孔を介して連通しているから、ベルトコンベアーの上下の面は圧力が平衡しベルトコンベアーに変形を生じたりする事がない。また、減圧機構の接続も上部被覆体または下部被覆体の何れにしても、上部被覆体または下部被覆体は流通孔を介して連通しているから同一の効果を得る事ができ、設計の自由度を高める事が可能となる。そして、減圧乾燥の完了後は上部被覆体を上昇してベルトコンベアーを作動すれば、乾燥した被洗浄物は次工程に簡単に移送する事ができる。同時に前工程で洗浄の完了した被洗浄物を上部被覆体の下面に移送する事が出来る。このように、被洗浄物の乾燥を連続的に行う事が出来るから、迅速で効率の良い乾燥が可能となる。
【００１２】
また、被洗浄物の蒸気洗浄作業に於いても、上部被覆体内に被洗浄物を導入した段階で、洗浄蒸気の蒸気供給機構から洗浄蒸気を導入すれば、被洗浄物の蒸気洗浄が可能となる。また、減圧機構を作動して上部被覆体内を減圧すれば減圧蒸気洗浄を可能とし、低沸点での蒸気発生を可能として、可燃性溶剤の蒸気洗浄を安全に可能とする。また、上部被覆体または下部被覆体は流通孔を介して連通しているから、洗浄蒸気の供給は上部被覆体または下部被覆体の何れにしても同一の効果を得る事ができ、設計の自由度を高める事が可能となる。また、洗浄作業の完了後は洗浄蒸気の導入を停止して減圧度を強くし、突沸乾燥を行うことができる。また、乾燥の完了後は上部被覆体内の減圧を解除して上部被覆体を上昇すれば、乾燥の完了した被洗浄物を次工程に移送する事が可能となる。
【実施例１】
【００１３】
以下、本発明の一実施例を図１に於て説明すれば、(１)はベルトコンベアーで、適宜数のプーリー(２)に接続して回動可能としている。このベルトコンベアー(１)は単独で使用しても良いが、作業目的に応じて移送元方向と移送先方向に同様の移送元コンベアー(３)と移送先コンベアー(４)を配置しても良い。
【００１４】
ベルトコンベアー(１)の移送元方向には液洗浄機構(５)を配置している。この液洗浄機構(５)は、ベルトコンベアー(１)の下面に配置したシャワー液槽(６)と、ベルトコンベアー(１)の上面に配置し、シャワー液槽(６)とはポンプ(７)、及びフイルター(８)を介して接続したシャワーノズル(９)とから構成している。
【００１５】
また、ベルトコンベアー(１)の移送先方向には、ベルトコンベアー(１)の上面に臨ませて、ベルトコンベアー(１)の上面に載置した被洗浄物(１１)を気密的に密閉収納可能な断面コ字型の上部被覆体(１２)を配置している。この上部被覆体(１２)の密閉は、上部被覆体(１２)の下端に設置したオーリング等のパッキング(１５)をベルトコンベアー(１)に密着する事により行う。この上部被覆体(１２)に溶剤回収機能を備えた減圧機構(１３)を吸引開閉弁(１４)を介して接続し、密閉収納した被洗浄物(１１)の減圧乾燥を可能としている。また、この上部被覆体(１２)は、エアシリンダー、オイルシリンダー、ボールねじ、その他適宜の上下動機構(図示せず)に接続して上下動可能とし、上昇時にはベルトコンベアー(１)の上面に載置した被洗浄物(１１)を下面に導入したり、収納している被洗浄物(１１)を移送先方向に移動可能とすると共に、下降時には下端面のパッキング(１５)をベルトコンベアー(１)の上面に密着して内部を減圧可能としている。
【００１６】
また、ベルトコンベアー(１)の下面側には、上部被覆体(１２)に対応して下部被覆体(１０)を配置している。この下部被覆体(１０)は、ベルトコンベアー(１)に貫通形成した流通孔(２６)を介して上部被覆体(１２)と連通し、この上部被覆体(１２)と共に被洗浄物(１１)を気密的に密閉可能とする。また、この下部被覆体(１０)は洗浄蒸気の蒸気供給機構(１６)の蒸気発生槽(２０)を兼ねるものであって、蒸気供給機構(１６)は、上端の開口部(１７)をベルトコンベアー(１)の下面に上端パッキング(１８)を介して密着可能とした蒸気発生槽(２０)と、この蒸気発生槽(２０)の内部に充填した洗浄液(２１)を加熱して洗浄蒸気を発生させるヒーター(２２)とから構成している。また、蒸気発生槽(２０)は内部に充填した洗浄液(２１)を収納する液溜槽(２３)を、排液用開閉弁(２４)を介して接続している。また、液溜槽(２３)は、ポンプ(７)、フィルター(８)及び液供給弁(２５)を介して蒸気発生槽(２０)に接続している。また、蒸気発生槽(２０)と上部被覆体(１２)間のベルトコンベアー(１)には、洗浄蒸気の液供給弁(２５)を開口し、蒸気発生槽(２０)で発生した洗浄蒸気を上部被覆体(１２)内に導入可能としている。
【００１７】
また、この洗浄蒸気の蒸気供給機構(１６)の下部被覆体(１０)を兼ねる蒸気発生槽(２０)は、前記の上部被覆体(１２)と同様に上下動可能としているが、ベルトコンベアー(１)の下面と蒸気発生槽(２０)の上面との密着度合いを調整するものであって、上部被覆体(１２)の上下動の如く大きく上下動するものではない。
【００１８】
上述の如く構成したものに於いて被洗浄物(１１)の乾燥を行うには、前工程で洗浄処理した被洗浄物(１１)をベルトコンベアー(１)の上面に載置し、上部被覆体(１２)を上昇して上部被覆体(１２)の下面位置にベルトコンベアー(１)で被洗浄物(１１)を移動する。被洗浄物(１１)の前工程での洗浄処理は、上部被覆体(１２)よりも移送元方向に配置した液洗浄機構(５)により行う。この液洗浄は、ベルトコンベアー(１)の下面に配置したシャワー液槽(６)から、ポンプ(７)、及びフイルター(８)を介して洗浄液(２１)を汲み上げてシャワーノズル(９)から被洗浄物(１１)に吹き付けることにより行う。また、この前工程としての液洗浄は、必ずしもベルトコンベアー上で行う必要はなく、別個の位置で液洗浄を行った被洗浄物(１１)を上部被覆体(１２)の下面位置にベルトコンベアー(１)で被洗浄物(１１)を移動しても良い。
【００１９】
前工程での処理が完了した被洗浄物(１１)を、ベルトコンベアー(１)で移送し上部被覆体(１２)の下面に臨ませて配置した後、上部被覆体(１２)を上下動機構(図示せず)を作動して下降すれば、被洗浄物(１１)は上部被覆体(１２)によってベルトコンベアー(１)の上面位置で密閉される。このとき下部被覆体(１０)を兼ねる蒸気発生槽(２０)も上部被覆体(１２)に対応してベルトコンベアー(１)の下面に配置され、流通孔(２６)を介して上部被覆体(１２)と連通状態となる。この密閉状態で、吸引開閉弁(１４)を開放し、バキュームポンプ等の減圧機構(１３)を作動して被洗浄物(１１)の減圧乾燥を行うことが出来る。また、この減圧乾燥状態では上部被覆体(１２)と下部被覆体(１０)とは流通孔(２６)を介して連通状態となっているから圧力は平衡し、ベルトコンベアー(１)が変形したりする事はない。
【００２０】
そして減圧乾燥の完了後は真空解除弁(２７)を開放した後、上部被覆体(１２)を上昇してベルトコンベアー(１)を作動すれば、乾燥の完了した被洗浄物(１１)は次工程に移送する事ができる。同時に前工程で洗浄の完了した被洗浄物(１１)を上部被覆体(１２)の下面に移送する事が出来る。このように、被洗浄物(１１)の乾燥を連続的に行う事が出来るから、迅速で効率の良い乾燥が可能となる。
【実施例２】
【００２１】
また、上記第１実施例では、第１発明に於いて被洗浄物(１１)の乾燥装置として用いた場合を示したが、第２発明において被洗浄物(１１)の減圧蒸気洗浄装置として用いた実施例を以下に説明する。被洗浄物(１１)の蒸気洗浄作業を行う場合は、上記の乾燥工程で上部被覆体(１２)内に被洗浄物(１１)を導入するのと同様に、被洗浄物(１１)を上部被覆体(１２)内に導入した段階で、蒸気発生槽(２０)から洗浄蒸気をベルトコンベアー(１)に開口した流通孔(２６)を介して導入する。そして、この洗浄蒸気を被洗浄物(１１)の表面で凝縮する事により蒸気洗浄が可能となる。また、前記の減圧機構(１３)を作動して上部被覆体(１２)内を減圧すれば、流通孔(２６)を介して上部被覆体(１２)と蒸気発生槽(２０)とが連通するため上部被覆体(１２)内での減圧蒸気洗浄を可能とする。そのため、低沸点での蒸気発生を可能として、可燃性溶剤を用いた蒸気洗浄を安全に可能とする。
【００２２】
また、洗浄作業の完了後は排液開閉弁(２４)を開放して液溜槽(２３)に洗浄液(２１)を移送することにより、上部被覆体(１２)内への洗浄蒸気の導入を停止した後に減圧度を強くし、突沸乾燥を行うことができる。被洗浄物(１１)の乾燥完了後は、真空解除弁(２７)を開放して上部被覆体(１２)内の減圧を解除し、上部被覆体(１２)を上昇すれば乾燥の完了した被洗浄物(１１)をベルトコンベアー(１)で次工程に移送する事が可能となる。
【００２３】
また、上記の実施例に於いて被洗浄物(１１)の洗浄に用いる洗浄蒸気は、ベルトコンベアー(１)の下面側に洗浄蒸気の蒸気供給機構(１６)を配置して下部被覆体(１０)と蒸気発生槽(２０)とを兼用して発生させ、ベルトコンベアー(１)に開口した洗浄蒸気の流通孔(２６)から洗浄蒸気を導入するものとしているが、洗浄蒸気の蒸気供給機構(１６)はベルトコンベアー(１)とは全く異なる位置に形成し、この別個に形成した洗浄蒸気の蒸気供給機構(１６)から、下部被覆体(１０)または上部被覆体(１２)に洗浄蒸気を供給するものとしても良い。この場合は、下部被覆体(１０)は蒸気発生槽(２０)とは兼用せず別個に形成し、独立して使用するものである。
【００２４】
また、上記の各実施例では減圧機構(１３)を上部被覆体(１２)側に接続しているが、上部被覆体(１２)と下部被覆体(１０)とは流通孔(２６)を介して連通しているから、下部被覆体(１０)側に減圧機構(１３)を接続しても何等問題のないものである。
【図面の簡単な説明】
【００２５】
【図１】本発明の第１実施例を示す断面図。
【符号の説明】
【００２６】
１    ベルトコンベアー
５    液洗浄機構
１０    下部被覆体
１１    被洗浄物
１２    上部被覆体
１３    減圧機構
１６    蒸気供給機構
２０    蒸気発生槽
２６    流通孔
【図１】
2006292261.tif 000003